(57)【特許請求の範囲】
【請求項１】
３つのリールそれぞれに１種類のみのボーナス図柄を配分し、遊技中の内部抽選によりレギュラーボーナスまたはビックボーナスのいずれかに当ったときに、前記３つのリールに前記１種類のボーナス図柄が揃ったことに基づいて、該ボーナス図柄が揃った後に、前記内部抽選で決定されたレギュラーボーナスまたはビッグボーナスを報知する報知手段を設け、該報知手段による報知の後に、該報知に該当するボーナスゲームを実行することを特徴とするパチスロ機。
【請求項２】
報知手段は、本体上部に設けた複数のトップランプの点灯状態によりレギュラーボーナスまたはビッグボーナスを報知するものであることを特徴とする請求項１記載のパチスロ機。
【請求項３】
報知手段は、４つのリール及び窓を設け、そのうち１つのリールの停止時に前記窓から見える文字又は記号によりレギュラーボーナスまたはビッグボーナスを報知する報知手段であることを特徴とする請求項１記載のパチスロ機。
【請求項４】
報知手段は、本体正面パネルに液晶表示器を取付け、該液晶表示器のキャラクタ等の動作によりレギュラーボーナスまたはビッグボーナスを報知するものであることを特徴とする請求項１記載のパチスロ機。
【請求項５】
報知手段は、本体正面パネルに複数のＬＥＤを連続して設け、該複数のＬＥＤの点灯個数によりレギュラーボーナスまたはビッグボーナスを報知するものであることを特徴とする請求項１記載のパチスロ機。
【発明の詳細な説明】
【０００１】
【発明の属する技術分野】
本発明は、レギュラーボーナスとビッグボーナスとの２つの機能を備えたパチスロ機に関するものである。
【０００２】
【従来の技術】
パチスロ機はリール図柄が縦に３種類見えるように窓が開いており、コインを入れ、レバーを押すことでリールが回転する。ストップボタンで夫々のリールを停止させて窓に表示された図柄が揃うとコインが払い戻される。
パチスロ機には当たりの状態として「ボーナス」状態があるが、これはボーナス図柄が揃ってから移行される。
まず、ボーナス図柄が揃う前にボーナスフラグが形成され、遊技者に何らかの方法で報知される。ボーナス図柄には、ビッグボーナス図柄（例えば「７」）とレギュラーボーナス図柄（例えば「Ｂａｒ」）の２通りあり、遊技者はこれによっていずれかのボーナス図柄を揃えるように遊技する。
【０００３】
そして、ボーナス図柄の「７」を揃えるように遊技をし、なかなか揃わない時、ボーナス図柄の「Ｂａｒ」を目標にすることで容易に揃えることができる。熟練者はフラグが立った時点で、レギュラーボーナスかビッグボーナスかを判定するため、１枚掛けを行なう。これは窓の中央横一列に何が並び易いかをチェックするもので、これにより、レギュラーボーナスとビッグボーナスのどちらかを最初から的を絞り込んで遊技を進行させる。したがって、ボーナス図柄の揃うタイミングも早期に行なえる。
【０００４】
【発明が解決しようとする課題】
しかし、遊技者にとって、ビッグボーナスを期待していたときに、レギュラーボーナスの目が出たときは遊技の興味を半減させ、ボーナス図柄を合わせるのもビッグボーナスほど興趣が湧かない。
また、ボーナス図柄を合わせる時の熟練者と初心者ではコインの使用量が異なり、初心者では２通りのボーナス図柄のどちらも２，３回ではなかなか揃わないので的を絞りきれず、遊技への執着も薄れていく。
【０００５】
本発明は、ボーナスフラグが立ったとき、ボーナス図柄を揃え易くさせ、かつ、レギュラーボーナスかビッグボーナスかの報知はボーナス図柄が揃った後で行なうようにしたパチスロ機を提供することを目的とする。
【０００６】
【課題を解決するための手段】
本発明は上記目的を達成するために、請求項１の発明は３つのリールそれぞれに１種類のみのボーナス図柄を配分し、遊技中の内部抽選によりレギュラーボーナスまたはビックボーナスのいずれかに当ったときに、前記３つのリールに前記１種類のボーナス図柄が揃ったことに基づいて、該ボーナス図柄が揃った後に、前記内部抽選で決定されたレギュラーボーナスまたはビッグボーナスを報知する報知手段を設け、該報知手段による報知の後に、該報知に該当するボーナスゲームを実行することを特徴とする。
【０００７】
請求項２の発明は請求項１の発明において、報知手段は、本体上部に設けた複数のトップランプの点灯状態によりレギュラーボーナスまたはビッグボーナスを報知するものであることを特徴とする。
【０００８】
請求項３の発明は請求項１の発明において、報知手段は、４つのリール及び窓を設け、その内の１つのリールの停止時に前記窓から見える文字又は記号によりレギュラーボーナスまたはビッグボーナスを報知する報知手段であることを特徴とする。
【０００９】
請求項４の発明は請求項１の発明において、報知手段は、本体正面パネルに液晶表示器を取付け、該液晶表示器のキャラクタ等の動作によりレギュラーボーナスまたはビッグボーナスを報知するものであることを特徴とする。
【００１０】
請求項５の発明は請求項１の発明において、報知手段は、本体正面パネルに複数のＬＥＤを連続して設け、該複数のＬＥＤの点灯個数によりレギュラーボーナスまたはビッグボーナスを報知するものであることを特徴とする。
【００１１】
【発明の実施の形態】
以下、本発明の実施の形態を添付図面に基づいて説明する。
図２に示すパチスロ機１は窓から見えるリール２、メダル投入口３、レバー４、ストップボタン５及びメダル受皿６が正面に配置され、上部にはトップランプ（報知手段）７が３つ左右に連続して設けられている。
各リール２に描かれたボーナス図柄は１種類であり、それぞれ複数個が配置されている。
【００１２】
図２に示すパチスロ機１は、図１に示す制御のフローチャートに基づいて遊技を実行する。
まず、初期設定（ステップ１）の段階から、メダル投入口３からメダルが入ったか否かをチェックし（ステップ２）、更に、レバー４の操作によりスタートスイッチがオンされたか否かをチェック（ステップ３）する。スタートスイッチがオンであれば、全リールが回転する（ステップ４）。
【００１３】
全リールが回転中、本体制御部においてレギュラーボーナス及びビッグボーナスに関する乱数サンプリング（ステップ５）が行なわれる。
乱数サンプリングで得たデータと本体制御部で内部抽選するデータとが合致するか判定し（ステップ６）、合致していなければボーナス図柄に関係のない他の図柄を表示させる（ステップ７）。
一方、抽選データが当たっているときは、レギュラーボーナスかビッグボーナスかの判定（ステップ８）まで行なう。
【００１４】
次に、レギュラーボーナスかビッグボーナスかの判定後、パチスロ機１の本体正面のリール２において、横方向または斜め方向にボーナス図柄が揃い易くなる。このフローチャートではストップボタン５を押し１回の試行でボーナス図柄が揃う（ステップ９，９’）ようになっている。
もし、ボーナス図柄が揃わなければ別の図柄で停止し、再度、スタートから全リール回転（ステップ４）まで進める。そして、ボーナスフラグが立っているのでストップボタン５を押してボーナス図柄を揃える。
【００１５】
ボーナス図柄が揃ったことに基づき、レギュラーボーナスの判定であれば、トップランプ７を１つあるいは２つ点灯させ（ステップ１０’）、レギュラーボーナスゲームを実行する（ステップ１１’）。また、ビッグボーナスの判定であれば、トップランプ７を全点灯させ（ステップ１０）、ビッグボーナスゲームを実行する（ステップ１１）。
このランプ表示によってはっきりとレギュラーボーナスまたはビッグボーナスが確認され、遊技性に不安がなくなり、初心者でも遊技を楽しむことができる。
【００１６】
次に、別の報知手段として、図３に示すように、ボーナス図柄判定用のリール２’を既存のリール２の側方に設けたものについて説明する。
例えば、リールには「Ｒ−ＢＢＢＲＢＲ−ＢＢＢＲＲＲ−ＢＲＢＢＢ」のように図柄を配置し、窓から見える図柄が「ＢＢＢ」のときにビッグボーナスを示し、それ以外の図柄「ＲＢＲ」とか「ＢＢＲ」等のときはレギュラーボーナスを示す。また、「−ＢＢ」とか「Ｒ−Ｂ」のように「−」が入るとボーナス図柄が揃わなかった場合である。
したがって、全リール２を回転したときに判定用のリール２’も回転させ、ストップボタン５を押したとき、リール２の図柄がなんであっても、リール２’はいずれにも対応できる。
【００１７】
更に別の報知手段として、液晶表示器を取付けた場合を説明する。
図４に示すパチスロ機はリール２の側方に液晶表示器８を設けている。したがって、レギュラーボーナスかビッグボーナスかの区別は、キャラクタなどのアニメーションのポーズで行なう。例えば人が飛び上がって万歳しているのをビッグボーナスとし、手を繋いだ人が横に次々に並んだ状態をレギュラーボーナスとする。
【００１８】
更に別の報知手段として、複数個のＬＥＤを取付けた場合を説明する。
図５に示すパチスロ機１は、リール２の下側にＬＥＤ９を12個並べたものである。ＬＥＤ９の個数はこれより多くても少なくても構わない。ＬＥＤ９が全て点灯すれば直線状に長く光るので、判り易く、例えば、８個以上点灯すればビッグボーナスとし、８個以下の点灯であればレギュラーボーナスとする。また、ボーナスフラグが立っている状態であるので、ＬＥＤ９を１つおきに点滅させれば、ボーナスフラグが立っていることも確実に遊技者に報知される。
【００１９】
【発明の効果】
本発明は以上のように構成したものであるので、請求項１の発明では、３つのリールに１種類のボーナス図柄をそれぞれ配分したので、遊技が判り易くなり、ボーナスフラグが立ったときに１種類のボーナス図柄のみを揃えるようにするので、遊技の回転も早くなる。
また、３つのリールのボーナス図柄が揃ったことにより、あらためてレギュラーボーナスかビッグボーナスかが報知手段によって遊技者に報知される。したがって遊技者は、従来のようにボーナスフラグが立ったときにレギュラーボーナスかビッグボーナスかが判るわけではないので、遊技途中で遊技に興趣を半減するようなことはない。
【００２０】
請求項２の発明では、報知手段を本体上部に設けた複数のトップランプにしたので、遊技者にとってレギュラーボーナスかビッグボーナスかの報知が判り易い。
請求項３の発明では、報知手段をリール側方に設けた４番目のリールにしたので、ボーナス図柄が揃ったときに、４番目のリールの回転が停止するまでレギュラーボーナスかビッグボーナスかの期待を高める。また、ボーナス図柄を揃えた後のレギュラーボーナスかビッグボーナスかの報知されるまでの間（報知の演出）興味を持たせることができ、最後まで興味を引きつける。
請求項４の発明では、本体正面パネルに設けた液晶表示器がキャラクタ等の動作によりレギュラーボーナスかビッグボーナスかを報知するので、キャラクタ等の動作が楽しみになる。
請求項５の発明では、複数のＬＥＤの点灯個数によりレギュラーボーナスかビッグボーナスかを報知するので、ＬＥＤの点灯長さに期待感を生じさせる。
【図面の簡単な説明】
【図１】本発明の実施の形態におけるパチスロ機のフローチャートである。
【図２】本発明の実施の形態におけるパチスロ機の正面図である。
【図３】第４のリールを設けたパチスロ機の正面図である。
【図４】液晶表示器を設けたパチスロ機の正面図である。
【図５】複数のＬＥＤを直線状に設けたパチスロ機の正面図である。
【符号の説明】
１  パチスロ機
２’  判定用リール
７  トップランプ
８  液晶表示器
９  ＬＥＤ
【図１】
0003756102.tif 000002
【図２】
0003756102.tif 000003
【図３】
0003756102.tif 000004
【図４】
0003756102.tif 000005
【図５】
0003756102.tif 000006